(57)【要約】【課題】複数の排水枝管を適当な角度で接続し、そのため、自由なレイアウトで配設することができ、容易に排水設備を設置することを可能とする。【解決手段】建物内の複数の排水口からの雑排水を外部に排出するための排水管設備であって、上方に開口する点検口３と、複数の排水枝管３１が接続される複数の流入接続口５とを具備する排水桝本体２と、排水主管３０が接続される１個の排出口４と、排出口４内面に連続する略すり鉢状に形成されたインバート面１０とを具備する底部６と、を備えた排水桝１の構造において、流入接続口５が排水桝本体２の外周部１１における、排出口４が設けられている側の略半部と反対側の略半部に略放射状に配設されるとともに、排水桝本体２の外周面に周方向Ａに並ぶ各流入接続口５が、隣り合う各流入接続口５でそれぞれ軸方向Ｂにずれ、上下方向に互い違いとなって配設される。【選択図】        図１
2004270175.tif 000002
【特許請求の範囲】
【請求項１】
建物内の複数の排水口からの雑排水を外部に排出するための排水管設備であって、
上方に開口する点検口と、複数の排水枝管が接続される複数の流入接続口とを具備する本体と、排水主管が接続される１個の排出口と、該排出口内面に連続する略湾曲凹面状に形成されたインバート面とを具備する底部部材と、を接続した排水桝の構造において、
前記各流入接続口が前記本体の外周部における、前記排出口が設けられている側の略半部と反対側の略半部に略放射状に配設されるとともに、前記本体の外周面に周方向に並ぶ前記各流入接続口が、隣り合う該各流入接続口でそれぞれ前記本体の中心軸線の軸方向にずれ、上下方向に互い違いとなって配設されることを特徴とする排水桝の構造。
【請求項２】
前記各流入接続口における前記排出口に近接した該流入接続口の中心軸線が、前記本体の中心軸線よりも該排出口から遠ざかる位置に延びていることを特徴とする請求項１記載の排水桝の構造。
【請求項３】
建物内の複数の排水口からの雑排水を外部に排出するための排水管設備であって、
上方に開口する点検口と、複数の排水枝管が接続される複数の流入接続口とを具備する本体と、排水主管が接続される１個の排出口と、該排出口内面に連続する略湾曲凹面状に形成されたインバート面とを具備する底部部材と、を接続した排水桝の構造において、
前記各流入接続口が前記本体の外周部における、前記排出口が設けられている側の略半部と反対側の略半部に略放射状に配設されるとともに、該複数の流入接続口のうちの１つを前記排出口が設けられている面と対向する面に配設し、且つ、該流入接続口を除く前記各流入接続口の中心軸線を前記排出口の中心軸線と直交させて配設し、前記本体の外周面に周方向に並ぶ前記各流入接続口が、隣り合う該各流入接続口でそれぞれ前記本体の中心軸線の軸方向にずれ、上下方向に互い違いとなって配設されることを特徴とする排水桝の構造。
【請求項４】
前記流入接続口には、エルボ管を介して短直管が上方へ垂直に接続され、且つ該短直管の上端には前記排水枝管が接続される上部エルボ管が接続されることを特徴とする請求項１又は請求項２又は請求項３記載の排水桝の構造。
【請求項５】
前記本体の呼び径を３００ｍｍとし前記流入接続口の呼び径を７５ｍｍ〜１００ｍｍとし、前記本体に前記流入接続口が５〜６個配設されていることを特徴とする請求項１，２，３，４のいずれか１つに記載の排水桝の構造。
【発明の詳細な説明】
【０００１】
【発明の属する技術分野】
本発明は、戸建て住宅、集合住宅等の屋内に用いられる集合一括排水されるための排水桝の構造に関するものである。
【０００２】
【従来の技術】
一般的に、戸建て住宅などのトイレ，風呂場，洗面所などの排水設備から排出される雑排水は、各排水設備に接続された排水枝管をできるだけ最短距離で建物の外側に導出される。従来、この建物の外側に導出した排水枝管を建物の外郭に沿って宅地内に配管した排水管に接続されている排水桝の流入枝管口に接続し、この排水管の下端側末端に公共桝を接続し、この公共桝を道路などに埋設された下水管に接続する構造が採られていた。
【０００３】
また、下記特許文献１に開示されるように、家庭の台所，洗面所，浴室などから排水される雑排水を、基礎の外部で直接あるいは排水桝に集めて下水本管に接続し排水する排水設備があった。建物内の各排水設備にそれぞれ接続した複数の排水枝管は、建物の床下に配管された上で、基礎を貫通して外側に延出され、この延出された部分が排水桝に接続される。そして、この排水桝に外部接続管が接続されている。また、上記排水桝は、その側部に同一方向に流入枝管口が突出した形である。
【０００４】
さらに、特許文献２に開示されるように、排水枝管を屋外に出さずに建物等の床下で各排水枝管から雑排水を排水主管に集合させて一括排水する床下排水設備があった。このような排水設備においては、各排水枝管を屋内の床下に設置される内部排水桝に接続し、接続排水管を介して建物の外部に設置されている外部排水桝へと接続されている。すなわち、屋内の排水は各排水枝管から内部排水桝に一旦集められ、接続排水管によって建物の外部に設置されている外部排水桝へと一括排水される。
【０００５】
【特許文献１】
特開平１０−３３１２２１号公報
【特許文献２】
特開２００１−３４８９２７号公報
【０００６】
【発明が解決しようとする課題】
しかしながら、従来の排水管設備では、排水枝管は、配水管を建物の外側へ出すため、住戸周りの配水管に関しては土木工事となり、住戸内の配管を行う管工事とは違った業種として位置付けされるため管理する建築業者にとっては管理が煩雑になり、そのためコストが嵩むという問題があった。
【０００７】
また、宅地内に建物の外郭に沿って排水管を配管し、この排水管に排水桝を建物から導出される各排水枝管ごとに接続し、そして宅地内の排水管に接続する排水桝間は排水管で接続するため、建物の外側に排水桝を設置する空間が必要となるが、宅地の狭隘化により、建物の外郭に沿って排水桝を設置することが困難な場合が生じる。
【０００８】
さらに、上記した特許文献１では、すべて基礎の外側に延出されたうえで、排水桝に接続されているので、これら排水枝管が長くなり、しかも排水枝管は複数設けているので、狭い宅地内では、排水枝管の設置が複雑となり、その設置が困難であった。また、基礎に複数の排水枝管を通すための穴を複数形成する必要があり、それに手間がかかっていた。さらに、この排水桝の側部に、同一方向に流入枝管口が突出した形であるので、排水枝管を一方向に向けて接続しなくてはならず、これについても狭い宅地内では、その設置が困難であった。
【０００９】
そして近年では、建物の柱・梁・床などの構造躯体（スケルトン）と、住戸内の内装・設備（インフィル）とを分離した工法、いわゆるＳＩ（スケルトン・インフィル）工法を取り入れた住宅が普及しており、水回りを含む自由な内装変更が求められているが、排水枝管の設置方向の自由度が少ないため、それが困難であった。
【００１０】
さらに、上記した特許文献２では、排水枝管は、その長さを短く抑えられるものの、内部排水桝への接続角度が限定されてしまい、配管のレイアウトに気を付けなければならず、ときには、排水管の上を別の排水管が横切るような事態に陥る危険性があった。
【００１１】
そこで本発明は、上記問題を解消するために、複数の排水枝管を状況に応じた適当な角度で接続し、排水枝管を自由なレイアウトで配設することができ、容易に排水設備を設置することができる排水桝の構造を提供することを目的としている。
【００１２】
【課題を解決するための手段】
次に、上記の課題を解決するための手段を、実施の形態に対応する図面を参照して説明する。
この発明の請求項１記載の排水桝の構造によれば、建物内の複数の排水口からの雑排水を外部に排出するための排水管設備であって、
上方に開口する点検口３と、複数の排水枝管３１が接続される複数の流入接続口５とを具備する本体２と、排水主管３０が接続される１個の排出口４と、該排出口４内面に連続する略湾曲凹面状に形成されたインバート面１０とを具備する底部部材６と、を接続した排水桝１の構造において、
前記各流入接続口５が前記本体２の外周部１１における、前記排出口４が設けられている側の略半部と反対側の略半部に略放射状に配設されるとともに、前記本体２の外周面に周方向に並ぶ前記各流入接続口５が、隣り合う該各流入接続口５でそれぞれ前記本体２の中心軸線Ｚの軸方向Ｂにずれ、上下方向に互い違いとなって配設されることを特徴とする。
【００１３】
このような構造によれば、複数設けられている流入接続口５によって、屋内の各排水設備から排出される雑排水を本体２内部に集合させることができ、本体２に一箇所のみ設けられている排出口４によってこの本体２内部に集合された雑排水を一括して屋外の下水本管に排出することができる。
【００１４】
また、この排水桝１の底部部材６に連続する略すり鉢状のインバート面１０が形成されることによって、各流入接続口５から本体２内部に流れ込んでくる雑排水が、本体２内部を渦状に流動し、排出口４に到るまでの送流性の向上が可能となる。
【００１５】
さらに、排水桝１の上部に点検口３が開口されることによって、排水桝１内の集中管理が可能となる。
【００１６】
また、本体２の外周部１１に複数の流入接続口５が設けられてることによって、複数の排水設備に接続されている複数の排水枝管３１を１つの排水桝１に集合させて接続させることが可能となる。
【００１７】
さらに、流入接続口５を外周部１１上で隣り合う流入接続口５でそれぞれ軸方向Ｂにずれて上下方向に互い違いに配列されることによって、外周部１１における流入接続口５の配置スペースを十分に確保することが可能となる。それにより、排水枝管３１の接続が容易となる。
【００１８】
また、流入接続口５を平面視で外周部１１上の略半部に略放射状に設けることによって本体２内部のインバート面１０上で雑排水を周方向Ａに沿って流動させ、本体２内部に流れ込む雑排水に混入した汚物等の滞留防止が可能となる。
【００１９】
また、この発明の請求項２記載の排水桝の構造によれば、前記各流入接続口５における前記排出口４に近接した該流入接続口５の平面視における中心軸線Ｌが、前記本体２の中心軸線Ｚよりも該排出口４から遠ざかる位置に延びていることを特徴とする。
【００２０】
このような構造によれば、本体２に対して略放射状に配設されている複数の流入接続口５のうち排出口４に近接した位置の流入接続口５の中心軸線Ｌが本体２の中心軸線Ｚよりも排出口４から遠ざかる。これにより、図６に示すように、平面視で両端の流入接続口５の両中心軸線Ｌ，Ｌとの交点である中心点Ｃが本体２の中心点Ｏよりも排出口４の中心軸線Ｙと直交する横軸線Ｘを境界線として排出口４と遠ざかる反対側の略半部へ移ることで、各流入接続口５から本体２内部に流れ込む雑排水の流入角度が変化し、各流入接続口５から流れ込む排水が、本体２内部において１点で衝突しない。そのため、雑排水はインバート面１０上に沿って周方向Ａに強力に流動する。したがって、雑排水が排出口４に到るまでの送流性が更に向上し、また、本体２内部での汚物等の滞留防止が更に強化される。
【００２１】
さらに、この発明の請求項３記載の排水桝の構造によれば、建物内の複数の排水口からの雑排水を外部に排出するための排水管設備であって、
上方に開口する点検口３と、複数の排水枝管３１が接続される複数の流入接続口５とを具備する本体２と、排水主管３０が接続される１個の排出口４と、該排出口４内面に連続する略湾曲凹面状に形成されたインバート面１０とを具備する底部部材６と、を接続した排水桝１の構造において、
前記各流入接続口５が前記本体２の外周部１１における、前記排出口４が設けられている側の略半部と反対側の略半部に略放射状に配設されるとともに、該複数の流入接続口５のうちの１つを前記排出口４が設けられている面と対向する面５０に配設し、且つ、該流入接続口５を除く前記各流入接続口５の中心軸線Ｌを前記排出口４の中心軸線Ｙと直交させて配設し、前記本体２の外周面に周方向Ａに並ぶ前記各流入接続口５が、隣り合う該各流入接続口５でそれぞれ前記本体２の中心軸線Ｚの軸方向Ｂにずれ、上下方向に互い違いとなって配設されることを特徴とする。
【００２２】
このような構造によれば、上記した請求項１記載の排水桝の構造と同様の効果に加え、平面視において本体２に対する各流入接続口の配設方向が平行および垂直方向であるので、射出成形による本体２の製造に用いる金型の離反方向が２方向のみとなる。したがって、排水桝１を容易に製造することができる。なおかつ、この金型は２つの部材で構成されることとなり、金型の製作が容易となる。
【００２３】
また、各流入接続口５同士が充分に離れているため、この流入接続口５にエルボ管２０を取り付け易くなる。
【００２４】
さらに、この発明の請求項４記載の排水桝の構造によれば、前記流入接続口５には、エルボ管２０を介して短直管２１が上方へ垂直に接続され、且つ該短直管２１の上端には前記排水枝管３１が接続される上部エルボ管２２が接続されることを特徴とする。
【００２５】
このような構造によれば、各エルボ管２０によって、それぞれの短直管２１を垂直方向に立ち上げた状態で流入接続口５に接続し、さらに、この立ち上げられた短直管２１の上端に上部エルボ管２２を接続し、この上部エルボ管２２に排水枝管３１を接続することができる。これにより、排水枝管３１は本体２の高さより高い位置に配管され、本体２に阻まれることなく自由な向きに配管することが可能となる。
【００２６】
また、この発明の請求項５記載の排水桝の構造によれば、前記本体２の呼び径を３００ｍｍとし前記流入接続口５の呼び径を７５ｍｍ〜１００ｍｍとし、前記本体２に前記流入接続口５が５〜６個配設されていることを特徴とする。
【００２７】
このような構造によれば、流入接続口５の呼び径を、すべて７５ｍｍとしても、流入接続口５間に充分な間隙をあけてこの流入接続口５を５〜６個設けることができ、コンパクトな排水桝１が可能となる。したがって、各箇所の流入接続口５のうち、どの接続口５にも全ての排水設備からの排水枝管３１に接続可能となり、排水枝管３１を自由なレイアウトで配管することが可能となる。
【００２８】
また、本体２に配設される複数の流入接続口５のうち１〜２個の流入接続口５を呼び径が更に大径な１００ｍｍの流入接続口５として配設し、その他の流入接続口５は呼び径を７５ｍｍとすることにより、排水桝１を多段に接続させる場合などに用いると有効な呼び径１００ｍｍの排水枝管３１を接続できる。そして、本体２に、呼び径が７５ｍｍのものと、呼び径が１００ｍｍの流入接続口５とを混在させても、上下方向に互い違いに配列させることで流入接続口５を本体２に５〜６個設けることができる。したがって、排水桝１をコンパクトに構成することが可能となる。
【００２９】
【発明の実施の形態】
以下、本発明の実施の形態を図面を参照して具体的に説明する。図１は本発明による排水桝の構造の一実施の形態を示す斜視図、図２は同排水桝の構造の一実施の形態を示す平断面図、図３は同排水桝の構造の一実施の形態を示す側断面図、図４は同排水桝の構造の一実施の形態を示す組立て側断面図、図５は同排水桝の一実施の形態の設置状態を示す側断面図である。
【００３０】
本発明の排水桝の構造は、例えば、戸建て住宅や集合住宅などの建物の床下に配設され、建物内のトイレ，風呂場，洗面台などの排水設備に接続された各排水枝管が集合接続されるものである。この排水桝１には１本の排水主管３０が接続されており、建物の外部に設けられている下水本管に接続されるものである。そして、この排水桝１は、本体２と、底部部材６とで構成されている。
【００３１】
この本体２は、図１及び図４に示すように、略円筒形に形成されている。本体２は、上方に開口した点検口３を備ている。この点検口３には、桝蓋１４が取り付けられ閉塞されている。
また、本体２の外周部１１には、後述する流入接続口５が形成されている。
さらに、下方には後述する底部部材６を取り付けるための切欠部１３が略半円形に形成されている。
なお、この本体２は、硬質塩化ビニル樹脂から形成され、射出成形によって一体形成されている。また、本実施の形態では、本体２の呼び径は３００ｍｍとされている。
【００３２】
本体２の外周部１１には、複数の流入接続口５が形成されている。本実施の形態では、６個の流入接続口５が形成されている。この流入接続口５は、短い略円筒状に形成されエルボ管２０が接続される挿口となっている。各流入接続口５は、図２に示すように、平面視で本体２の外周の略半部に略放射状に周方向Ａに並んで配列されている。なお、配列されている流入接続口のうち両端に位置する流入接続口５の中心軸線Ｌがこれと直交する横軸線Ｘと一致するように配列されている。
【００３３】
さらに、この流入接続口５は、図３及び図４に示すように、側面視において上下方向に高低差をつけて配列されている。すなわち、本体２の外周部１１にて、排出口４が設けられている側の略半部と反対側の略半部に略放射状に配設され、外周部１１上に周方向Ａに並ぶ各流入接続口５が隣り合う各流入接続口５でそれぞれ軸方向Ｂにずれて配列されている。また、隣り合う各流入接続口５の周縁１２同士はお互いに干渉しないように配列されている。本実施の形態では、この上下方向の高低差は５０ｍｍとしている。
なお、エルボ管２０は９０度屈曲された管であり、両端は受口で構成されている。
【００３４】
通常、排水設備には、主としてトイレ，風呂，洗濯機，台所，洗面台などがあり、接続される排水枝管３１の呼び径は、トイレのみが７５ｍｍとなっており、その他の排水設備には呼び径５０ｍｍの排水枝管３１が接続されることが多い。本実施の形態では、すべての流入接続口５の呼び径を７５ｍｍとし、上記エルボ管２０がそれぞれ接続される。また、このエルボ管２０には、短尺な直管よりなる短直管２１が接続され、垂直方向に立ち上げられ、さらに、その上端に上部エルボ管２２が接続される。この短直管２１は、好ましくは、上部エルボ管２２が本体２の底からの高さ位置で略水平面上に並ぶように、長短２種類で構成されている。上部エルボ管２２は、その短直管２１に接続される一端が大径な７５ｍｍに形成され、また、排水枝管３１が接続される他端が排水枝管３１の管径に対応させ小径な５０ｍｍに形成されているものと、大径な７５ｍｍに形成されているものがある。
【００３５】
また、建物内の各排水設備の個数は、その建物の状況に応じて異なる。そのため、未使用の流入接続口５がでてくる場合がある。そのとき、使用しない流入接続口５には、接続される短直管２１の上端にキャップ１７が取り付けられる。
【００３６】
次に、底部部材６は、排水桝１の下端を構成しており、前記した本体２と同様に硬質塩化ビニル樹脂を素材とし、射出成形によって形成され、図３及び図４に示すように、排出口４とインバート面１０とによって構成されている。
インバート面１０は、湾曲凹面状に形成されている。また、このインバート面１０には略円筒形に形成されている排出口４が一体的に設けられている。さらに、このインバート面１０は、その底面が略半管状に形成され、略水平方向に延設する排出口４の内面と連続している。
また、インバート面１０の外周を取り囲むように、円筒部１５が設けられている。
さらに、底部部材６の排出口４の上部には略板状の立上り部１６が設けられている。
【００３７】
そして、この底部部材６は、図４に示すように、円筒部１５および立上り部１６に接着剤を塗布して、排出口４を切欠部１３に挿入しながら本体２に内嵌させ、接着接合されている。
【００３８】
次に、この排水桝１の設置方法について説明する。
図５に示すように、この排水桝１を建物等の床下に設置する場合、まず、排出口４を建物の外方を向けて排水桝１を所望の位置に設置する。
【００３９】
それから、排出口４に排水主管３０を接続する。なお、この排水主管３０は、外部に設けられている下水本管へと接続される。また、建物の基礎４２には、排水主管３０を通すための穴が穿設されている。
【００４０】
次に、排水桝１の流入接続口５にエルボ管２０を接続し、このエルボ管２０に短直管２１を垂直に接続する。
【００４１】
そして、排水桝１の周りにコンクリートを流し込む。つまり、コンクリート基礎４０内に排水桝１が埋め込まれる状態となる。なお、その際、排水桝１は、点検口３より下側までコンクリート基礎４０で埋め込まれ、点検口３および短直管２１の上部は、コンクリート基礎４０の表面から出ている。
【００４２】
その後、短直管２１に上部エルボ管２２を接続して、各排水設備に接続されている排水枝管３１に向けて角度を調整し、この各排水枝管３１に接続する。排水枝管３１はコンクリート基礎４０と床面４１との間の空間に配管される。
なお、この床下に配管されている排水枝管３１には、排水設備から排水桝１に到るまで緩やかな下り勾配となって配管されている。また、排水枝管３１が接続されていない短直管２１の上端には、その開口部を塞ぐため上記したキャップ１７が取り付けられる。
【００４３】
このような排水管設備によって、屋内のトイレ，風呂場，洗面台などから排出される生活雑排水は、床下に配管されている排水枝管３１を通って排水桝１に集められ、その後、この排水桝１に集められた雑排水は一括して排水主管３０を通って屋外に設けられている下水本管へと排出される。
【００４４】
この実施の形態によれば、複数設けられている流入接続口５によって、屋内のトイレ，洗面台などの各排水設備から排出される雑排水を本体２内部に集合させることができ、本体２に一箇所のみ設けられている排出口４によってこの本体２内部に集合された雑排水を一括して屋外の下水本管に排出することができる。
【００４５】
また、この排水桝１の底部部材６にインバート面１０が形成されることによって、各流入接続口５から本体２内部に流れ込んでくる雑排水が、本体２内部を渦状に流動し、排出口４に到るまでの送流性が向上する。
【００４６】
さらに、排水桝１の上部に点検口３が開口されることによって、排水桝１内の集中管理が可能となる。
【００４７】
また、本体２の外周部１１に複数の流入接続口５が設けられてることによって、複数の排水設備に接続されている複数の排水枝管３１を１つの排水桝１に集合させて接続させることが可能となる。
【００４８】
さらに、流入接続口５を外周部１１に上下方向に互い違いに配列することによって、外周部１１における流入接続口５の配置スペースを十分に確保することが可能となる。それにより、排水枝管３１の接続が容易となる。
【００４９】
また、流入接続口５の呼び径をすべて７５ｍｍとすることによって、６箇所の流入接続口５のうち、どの接続口５にも全ての排水設備からの排水枝管３１に接続可能となる。したがって、排水枝管３１を自由なレイアウトで配管することが可能となる。
【００５０】
さらに、流入接続口５を平面視で略放射状に設けることによって、本体２内部に流れ込んでくる雑排水のなかに混入されている汚物等の滞留防止が可能となる。
【００５１】
また、各エルボ管２０によって、それぞれの短直管２１を垂直方向に立ち上げた状態で流入接続口５に接続し、さらに、この立ち上げられた短直管２１の上端に上部エルボ管２２を接続し、この上部エルボ管２２に排水枝管３１を接続することができる。これにより、排水枝管３１は本体２の高さよりも高い位置に上部エルボ管２２が接続されることから本体２に阻まれることなく自由な向きに排水枝管３１を配管することが可能となる。
また、両端の管径が異なるエルボ管２０を用いることによって、全ての排水設備からの排水枝管３１を最適な位置にある流入接続口５に接続することができる。したがって、排水枝管３１を自由なレイアウトで配管することが可能となる。
【００５２】
さらに、本体２の呼び径を３００ｍｍとし、流入接続口５の呼び径を、すべて大径な７５ｍｍとすれば、本体２の外周面の略半部の周の長さが約４７０ｍｍとなり、この周の長さから流入接続口５の呼び径である７５ｍｍを除算すると４７０／７５≒６．２６７となる。このことから、流入接続口５を本体２の外周面上に流入接続口間に充分な間隙をあけて５〜６個設けることができる。したがって、流入接続口５の呼び径が７５ｍｍの排水桝１をコンパクトに構成することが可能となる。
【００５３】
なお、上述した実施の形態では、図２に示すように、各流入接続口５は、平面視において、両端に位置する流入接続口５の中心軸線Ｌが横軸線Ｘと一致するように配置されるとともに本体２の略半部に略放射状に配設されているが、図６に示すように、排出口４に近い各流入接続口５がこの排出口４にややずれた配置となっていてもよい。
これにより、両端の流入接続口５の両中心軸線Ｌ，Ｌとの交点である中心点Ｃの位置が排出口の中心軸線となる縦軸線Ｙ上を、横軸線Ｘを境界線として本体２の中心点Ｏに対して排出口４が設けられている側と遠ざかる反対側となる。
したがって、各流入接続口５から本体２内部に流れ込む雑排水の流入角度が変化し、各流入接続口５から流れ込む排水が、本体２内部において図６に示す矢線のように、１点で衝突しないため、雑排水はインバート面１０上に沿って周方向Ａに流動する。これにより、雑排水が排出口４に到るまでの送流性がより向上し、また、本体２内部での汚物等の滞留防止が可能となる。
【００５４】
また、図７（ａ）に示すように、平面視において、本体２の外周面に周方向Ａに並ぶ各流入接続口５のうちの１つが、本体２の外周部１１上の排出口４が設けられている面と対向する面５０に、その中心軸線Ｌ１を縦軸線Ｙに沿って配設され、且つ、この流入接続口５を除く残りの各流入接続口５が、その中心軸線Ｌ２を縦軸線Ｙと直交（横軸線Ｘと平行）させて配設され、また、これら各流入接続口５は、図７（ｂ）に示すように、側面視において、上下方向となる軸方向Ｂに互い違いに配設されている構成としてもよい。これにより、図７（ａ）に示すように、平面視において本体２に対する各流入接続口５の配設方向が平行および直交方向であるので、射出成形による排水桝本体２の製造に用いる金型の離反方向が２方向のみとなる。したがって、排水桝１を容易に製造することができる。なおかつ、この金型は２つの部材で構成されることとなり、金型の製作が容易となる。
【００５５】
また、各流入接続口５同士が充分に離れているため、この流入接続口５にエルボ管２０を取り付け易くなる。
【００５６】
さらに、上述した実施の形態では、本体２には呼び径がすべて７５ｍｍの流入接続口５が６個配設されている例について述べたが、本体２に配設される各流入接続口５のうち、呼び径が更に大径な１００ｍｍの流入接続口５を１〜２個配設して、その他に配設される流入接続口５の呼び径を７５ｍｍとする構成としてもよい。これにより、例えば、２階建て家屋など複数のフロアを有する建物において、各フロアごとに雑排水を集合させ、この集合させた雑排水を更に主となる排水桝に集合させるというような、排水桝を多段に接続させる場合などに有効な呼び径１００ｍｍの排水枝管３１を接続することが可能となる。
【００５７】
また、このような呼び径が１００ｍｍの流入接続口５と呼び径が７５ｍｍの流入接続口５とが混在する排水桝１であっても、上記したように、流入接続口５を上下方向に互い違いに配列することで、これら大径な流入接続口５を本体２に５〜６個設けることができる。つまり、排水桝１をコンパクトに構成することが可能となる。
【００５８】
【発明の効果】
以上説明したように本発明による請求項１記載の排水桝の構造によれば、複数設けられている流入接続口によって、屋内のトイレ，洗面台などの各排水設備から排出される雑排水を本体内部に集合させることができ、本体に一箇所のみ設けられている排出口によってこの本体内部に集合された雑排水を一括して屋外の下水本管に排出することができる。
【００５９】
また、この排水桝の底部部材にインバート面が形成されることによって、各流入接続口から本体内部に流れ込んでくる雑排水が、本体内部を渦状に流動し、排出口に到るまでの送流性の向上が可能となる。
【００６０】
さらに、排水桝の上部に点検口が開口されることによって、排水桝内の集中管理が可能となる。
【００６１】
また、本体の外周部に複数の流入接続口が設けられてることによって、複数の排水設備に接続されている複数の排水枝管を１つの排水桝に集合させて接続させることが可能となる。
【００６２】
さらに、流入接続口を外周部上で隣り合う流入接続口でそれぞれ軸方向にずれて上下方向に互い違いに配列されることによって、外周部における流入接続口の配置スペースを十分に確保することが可能となる。それにより、排水枝管の接続が容易となる。
【００６３】
また、流入接続口を平面視で外周部上の略半部に略放射状に設けることによって本体内部のインバート面上で雑排水を周方向に沿って流動させ、本体内部に流れ込んでくる雑排水のなかに混入されている汚物等の滞留防止が可能となる。
【００６４】
そして、この発明の請求項２記載の排水桝の構造によれば、本体に対して略放射状に配設されている複数の流入接続口のうち排出口に近接した位置の流入接続口の中心軸線が本体の中心軸線よりも排出口から遠ざかる。これにより、平面視で両端の流入接続口の両中心軸線との交点である中心点が本体の中心点よりも横軸線を境界線として排出口と遠ざかる反対側の略半部へ移ることで、各流入接続口から本体内部に流れ込む雑排水の流入角度が変化し、各流入接続口から流れ込む排水が、本体内部において１点で衝突しない。そのため、雑排水はインバート面上に沿って周方向に強力に流動する。したがって、雑排水が排出口に到るまでの送流性が更に向上し、また、本体内部での汚物等の滞留防止が更に強化される。
【００６５】
また、この発明の請求項３記載の排水桝の構造によれば、上記した請求項１記載の排水桝の構造と同様の効果に加え、平面視において本体に対する各流入接続口の配設方向が平行および垂直方向であるので、射出成形による本体の製造に用いる金型の離反方向が２方向のみとなる。したがって、排水桝を容易に製造することができる。なおかつ、この金型は２つの部材で構成されることとなり、金型の製作が容易となる。
【００６６】
さらに、各流入接続口同士が充分に離れているため、この流入接続口にエルボ管を取り付け易くなる。
【００６７】
また、この発明の請求項４記載の排水桝の構造によれば、各エルボ管によって、それぞれの短直管を垂直方向に立ち上げた状態で流入接続口に接続し、更にこの立ち上げられた短直管の上端に、例えば上部エルボ管を接続し、この上部エルボ管に排水枝管を接続することができる。これにより、排水枝管は本体の高さより高い位置に配管され、本体に阻まれることなく自由な向きに配管することが可能となる。
【００６８】
さらに、この発明の請求項５記載の排水桝の構造によれば、排水桝の本体の呼び径を３００ｍｍとし、流入接続口の呼び径を、すべて大径な７５ｍｍとしても、流入接続口間に充分な間隙をあけてこの流入接続口を５〜６個設けることができ、排水桝をコンパクトに構成することが可能となる。したがって、各箇所の流入接続口のうち、どの接続口にも全ての排水設備からの排水枝管に接続可能となり、排水枝管を自由なレイアウトで配管することが可能となる。
【００６９】
また、本体に配設される複数の流入接続口のうち１〜２個を呼び径が更に大径な１００ｍｍの流入接続口とし、その他を呼び径が７５ｍｍの流入接続口とする構成とすれば、呼び径１００ｍｍの流入接続口に、排水桝を多段に接続させる場合などに用いると有効な呼び径１００ｍｍの排水枝管を接続できる。そして、このような呼び径７５ｍｍの流入接続口と呼び径１００ｍｍの流入接続口とを混在した構成としても、流入接続口を上下方向に互い違いに配列させることによって、これら大径な流入接続口を本体に複数設けることができる。つまり、排水桝をコンパクトに構成することが可能となるという上記同様の効果が得られる。
【図面の簡単な説明】
【図１】本発明の排水桝の構造の一実施の形態を示す斜視図である。
【図２】本発明の排水桝の構造の一実施の形態を示す平断面図である。
【図３】本発明の排水桝の構造の一実施の形態を示す側断面図である。
【図４】本発明の排水桝の構造の一実施の形態を示す分解側断面図である。
【図５】本発明の排水桝の構造の設置状態を示す側断面図である。
【図６】本発明の排水桝の構造の他の実施の形態を示す平断面図である。
【図７】本発明の排水桝の構造の他の実施の形態を示す平断面図である。
【符号の説明】
２…本体
３…点検口
４…排出口
５…流入接続口
６…底部部材
１０…インバート面
１１…外周部
１２…周縁
２０…エルボ管
２１…短直管
２２…上部エルボ管
３０…排水主管
３１…排水枝管
５０…対向する面
Ａ…周方向
Ｂ…軸方向
Ｌ…流入接続口の中心軸線
Ｙ…排出口の中心軸線（縦軸線）
Ｚ…本体の中心軸線
Ｃ…中心点
【図１】
2004270175.tif 000003
【図２】
2004270175.tif 000004
【図３】
2004270175.tif 000005
【図４】
2004270175.tif 000006
【図５】
2004270175.tif 000007
【図６】
2004270175.tif 000008
【図７】
2004270175.tif 000009